(57)【要約】【課題】パイプ椅子に座ることが多く、座っていると辛くて背中が曲がって、苦しくなり、胃も圧迫されて、腰もつらくなりお腹に力が入らず、座っていることが、苦痛でした。背中と椅子の間に手を入れたり、着用していた、カーデガンやパカーなどを丸めて背中に入れて寄りかかっていました。またバスタオルをたてに４つ折りにして、丸めてテープでとめて背中に入れてみましたが、ずれたり、立った時にすぐに落ちてしまい面倒でした。【解決手段】面ファスナーを付けた袋を作って、その中にバスタオルやカーデガン、パーカーを入れて脱着可能なクッションとしました。このクッションは、誰でも簡単に着脱や固定が出来る様に工夫しました。また、パイプ椅子以外の椅子にも固定できるように、補助カバーを工夫しました。【選択図】  図３５
2016022345.tif 000002
【特許請求の範囲】
【請求項１】
布製の袋の中に、タオル、バスタオル、カーデガン、スカーフ、ショール、パーカー、ひざ掛け、ジャケット、クッションを丸めていれて内部に詰めたクッションであって、固定するための面ファスナーを備えていることを特徴とする椅子の背もたれに脱着可能なクッション
【発明の詳細な説明】
【技術分野】
【０００１】
本発明は、長時間椅子に座ることが多い人に、背筋を伸ばすことにより、肩こり、腰痛を防止、軽減するためのクッシュンに関するものです。
【背景技術】
【０００２】
パイプ椅子に座ることが多く、座っていると辛くて背中が曲がって、苦しくなり、胃も圧迫されて、腰もつらくなりお腹に力が入らず、座っていることが、苦痛でした。背中と椅子の間に手を入れたり、着用していた、カーデガンやパカーなどを丸めて背中に入れて寄りかかっていました。またバスタオルをたてに４つ折りにして、丸めてテープでとめて背中に入れたりされています。また、特開2002−45270号公報、および、                      特開10-137078号公報には、同様の目的の発明が開示されています。
【先行技術文献】
【特許文献】
【０００３】
【特許文献１】特開2002−45270号公報
【特許文献２】特開10-137078号公報
【発明の概要】
【発明が解決しようとする課題】
【０００４】
パイプ椅子に座ることが多く、座っていると辛くて背中が曲がって、苦しくなり、胃も圧迫されて、腰もつらくなりお腹に力が入らず、座っていることが、苦痛でした。背中と椅子の間に手を入れたり、着用していた、カーデガンやパーカーなどを丸めて背中に入れて寄りかかっていました。またバスタオルをたてに４つ折りにして、丸めてテープでとめて背中に入れてみましたが、ずれたり、立った時にすぐに落ちてしまい面倒でした。
【課題を解決するための手段】
【０００５】
上記の課題を解決する本発明は、
布製の袋の中に、タオル、バスタオル、カーデガン、スカーフ、ショール、パーカーひざ掛け、ジャケット、クッションを丸めていれて内部に詰めたクッションであって、固定するための面ファスナーを備えている椅子の背もたれに脱着可能なクッションである。
【発明の効果】
【０００６】
椅子の背もたれに脱着可能なクッションを使用したところ、使用した方々から、とても背筋が伸びてとても良いと言っていただけ、周りに介護している方が多く自宅でも「パイプ椅子」以外でも使用できたら、介護される方も、介護する方も少しでも、椅子の背もたれに脱着可能なクッションを使用することで楽になればと思い補助カバーを作りたいと考えました。
【０００７】
１、背中が座るだけで楽になる。
２、簡単にとり付ができる。簡単に外せる。
３、肩こり、腰痛の緩和。
４、背筋が伸びる事で血行が良くなる。
５、猫背予防。
６、腰への負担が軽くなる。
７、胃の圧迫を防ぐことができる。
８、背中の苦しいのが楽になる。
９、肩こり、腰痛の緩和、背筋が伸びる事で血行が良くなる。腰への負担が軽くなる。胃の圧迫を防ぐことを助けることができる。
１０、長い時間座ることが楽です。椅子の背もたれに脱着可能なクッションに寄りかかると背中、腰が伸びる事で座った時気持ちもよくなる。
１１、背筋が伸びる事で胸骨も広がるので、呼吸もしやすくなる。酸素が多く体内に入るので血行を促す。
１２、楽に良い姿勢が保たれる。
１３、背中、腰が良い姿勢保たれるので、太ももが開く事が少なく座れることで、大腿筋も鍛えられると考えられる。
１４、背筋ラークラク袋だけ持っていれば中にカーデガンやパカーなどを入れて、どこでも使用できます。
１５、座って仕事をしていて、同じ姿勢でいることで、肩こり、腰痛、目の疲れ、ストレスがあるとき、背すじラーク楽に背中で寄りかかることで、ほど良い刺激が与えられる事で、血行を促し上記の症状が軽減され、気持ちもよくなる。
１６、固定しても使用でき、椅子がなくても、寄りかかる所があればどこでも使用できる。
１７、ケアプラザ等老人が多く集まる場所では、パイプ椅子を使用しているところが多いので老人方の姿勢が少しでもよくなるように。又悪くならにように促すことができる。
１８、老人だけでなく、座ったまま仕事をしている若い人、どんな世代の人にも背すじラーク楽に寄りかかって背筋を伸ばすことで、気分転換になり，背中、腰の血行を良くすることを促すことで、疲労回復につながる。
１９、背中、腰に当てることで保温なる。
２０、椅子に取り付けることで、何度椅子から立っても同じ位置についているので、直すめんどうがない。
２１、体の不自由な方でも、取り付けておけば、いつでも丁度良く座ることができ、背中腰を支える事が出来て座りやすい。
２２、疲れが取れる。腰痛、背中の苦しさが座っている間に良くなった。
２３、汚しても椅子の背もたれに脱着可能なクッション袋は簡単に中に入れたものが取り外せるので、洗濯するのが簡単にできるので、清潔なものを使用できる。
２４、布も自分の好きな柄を選べば気分も良くなり、ハッピーになれる。
２５、簡単に安く作れる。中に入れるバスタオル等は古くなった物を使う事でリサイクルにもなる。
【図面の簡単な説明】
【０００８】
【図１】本発明品をつくるための布a
【図２】布aを袋状にした図
【図３】紐入れ部分を縫った図
【図４】紐を入れた図
【図５】面ファスナー固定布の作り方を示した図−１
【図６】面ファスナー固定布の作り方を示した図−２
【図７】面ファスナー固定布の作り方を示した図−３
【図８】面ファスナー固定布に面ファスナーを縫い付ける図−１
【図９】面ファスナー固定布に面ファスナーを縫い付ける図−２(図８の裏面)
【図１０】椅子の背もたれに脱着可能なクッションに面ファスナー固定布を縫い付ける図−１
【図１１】パイプ椅子以外に取り付けられる補助カバーの作り方−１
【図１２】パイプ椅子以外に取り付けられる補助カバーの作り方−１（面ハスナーを着けた図）
【図１３】椅子の背もたれに脱着可能なクッションの取付方、使い方−１（タオルを入れてた状態）
【図１４】椅子の背もたれに脱着可能なクッションの取付方、使い方−２（取り付ける課程−１）
【図１５】椅子の背もたれに脱着可能なクッションの取付方、使い方−２（取り付ける課程−２）
【図１６】椅子の背もたれに脱着可能なクッションの取付方、使い方−２（取り付け完了）
【図１７】椅子の背もたれに脱着可能なクッションのパイプ以外への取付方、使い方−１
【図１８】椅子の背もたれに脱着可能なクッションのパイプ以外への取付方、使い方−２（脱着可能なクッションを着けた図）
【図１９】椅子の背もたれに脱着可能なクッションをつくるための素材
【図２０】本発明品をつくるための布a
【図２１】布aを半分に折った状態
【図２２】布aの二辺を縫い代１ｃｍ縫って袋状にした状態（マチ針を着けた図）
【図２３】紐入れを縫う過程を示す図−１
【図２４】紐入れを縫う過程を示す図−２（外側に３センチメートル折る）
【図２５】紐入れを縫った完成図（紐をいれる部分を３センチメートル縫わないで開けておく）
【図２６】面ファスナーを固定する布b
【図２７】布bの輪になっていない３辺を縫う
【図２８】布bに面ファスナーを２ヶ所縫い付ける図（マチ針で固定している。）
【図２９】布bに面ファスナーを３ヶ所縫い付けた完成図
【図３０】椅子の背もたれに脱着可能なクッションに面ファスナーがついている固定布を縫い付けた状態
【図３１】椅子の背もたれに脱着可能なクッションの使い方、取付方−１（バスタオルを巻いて入れて準備する。
【図３２】椅子の背もたれに脱着可能なクッションの使い方、取付方−２（取付途中）
【図３３】椅子の背もたれに脱着可能なクッションの使い方、取付方−３（取付完了図−１、後ろ側から見た図）
【図３４】椅子の背もたれに脱着可能なクッションの使い方、取付方−４（取付完了図−２、前側から見た図）
【図３５】椅子の背もたれに脱着可能なクッションの使い方、取付方−５（使用例）
【図３６】パイプ椅子以外に使用する補助カバー
【図３７】パイプ椅子以外に使用する補助カバーを取り付ける過程−１（途中）
【図３８】パイプ椅子以外に使用する補助カバーを取り付ける過程完成図
【図３９】パイプ椅子以外に使用する補助カバーに椅子の背もたれに脱着可能なクッションを取り付ける過程−１
【図４０】パイプ椅子以外に使用する補助カバーに椅子の背もたれに脱着可能なクッションを取り付ける過程−２
【図４１】パイプ椅子以外に使用する補助カバーに椅子の背もたれに脱着可能なクッションを取り付ける過程−３
【図４２】パイプ椅子以外に使用する補助カバーに椅子の背もたれに脱着可能なクッションを取り付けた完成図
【図４３】パイプ椅子以外に使用する補助カバーに椅子の背もたれに脱着可能なクッションを取り付けた使用例
【発明を実施するための形態】
【実施例】
【０００９】
以下に椅子の背もたれに脱着可能なクッションの作り方を図示します。用意するものは、布、紐、面ファスナーです。布の表地を表出して、長い方を立てにして置きます。縦４０〜４５センチメートル、横１７〜２２センチメートルの範囲が最適です。
図１に示すように布a（１）に、印（２）をつけた所で半分に折り返して重ねる。
図２に示すように、輪になってない側２辺（３）を縫い代１センチで縫い合わせます。
図３に、ひも入れ部分を縫うやり方を示す。袋状になっている袋の開口部を縫います。１ｃｍの所で開口部を円状に外側に折り曲げて（４）アイロンで押さえる。
図４に、折り曲げた布をそのままにして、そこから３センチメートルの所のふちを外側に折り曲げ、折り曲げた所の淵から、５ミリの所を円状に縫って紐入れ部分（５）を縫う。最後の３〜６センチメートルは縫わないで空けておく（６）。ここからひもを入れます。ひもを入れます。ひっくり返して表地を出します。
図５に、面ファスナー固定布（７）の作り方を示します。
長さ４９〜５４センチメートル、  幅６〜７センチメートルの裏地をだして長い方を横にして布を広げ、布の上下の真ん中に印（８）を付けておく。
図６に、４辺を１センチメートル折り曲げ（９）、アイロンで押さえておく。
図７に、８の所を半分の所で折り返して重ねて、そのまま輪になっていない３辺の布端５ミリの所を縫い合わせる。（１０）
図８に示すように、面ファスナーを縫い付ける。（固定布を長い方を横にしておく。  左側はじから１センチメートルの所に面ファスナー１（オス面）（１１）を長手方向の真ん中に縫いつける。最初に縫いつけた面ファスナー１から７センチ開けて、もう１枚面ファスナー２（１２）のオス面を縫いつける。
図９に示すように、面ファスナーを縫いつけた布の裏面で、端から１センチの所（面ファスナー２の逆側）に面ファスナー３（１３）のメス面を縫いつける。
図１０に、椅子の背もたれに脱着可能なクッション袋に面ファスナーついた固定布を縫いつける。（椅子の背もたれに脱着可能なクッション袋を立てにしておく。袋の底から１０センチの所に面ファスナーが真ん中に付いている部分を縫いつける。）（１４）
【００１０】
図１１に、パイプ椅子以外に取り付けられる補助カバーを示す。布地はしっかりした物が良いと思います。
裏地を表に出して広げます，布の４辺を１センチメートル折り曲げます、折り曲げた所をそのままにしてさらに２センチメートル折り曲げ縫います，折り曲げた所にひもを縫い付けます。
広げた長い布の半分に折った所に印（１５）を付けて置きます。  布半分の印から１本目（１６）、は１０〜１４センチメートルの所にひもを左右につけます。２本目（１７）、は１本目から１１〜１５センチメートル間を開けてつけます。左右につけます（１８）、反対側も同様につけます。（１９）（２０）。（紐の長さ２５〜３５センチメートル）
図１２に、面ファスナーの取り付け方を示す。（面ファスナーの長さは椅子の背もたれに脱着可能なクッション袋についているオスと同じにする。上布の表地を表にして広げます。縦長の半分の所（２１）に印を付けます。印の所から布の中央に面ファスナー（２２）のメス面を２枚縫いつける。反対側に面ファスナー（２３）を１枚縫いつける。（面ファスナー１枚のサイズ長さ１５センチメートル、幅センチメートル）
図１３に取り付方、使い方を示す。椅子の背もたれに脱着可能なクッション袋（２４）の中に古いバスタオル等（２５）を丸めて入れて置きます。          
図１４にパイプ椅子の場合を示します。パイプ椅子の背もたれ部分の前中央２６に椅子の背もたれに脱着可能なクッションをあてます。
図１５示すように、背もたれ部分の後ろを包むように、  裏面に付いている面ファスナー（メス）１３を後背もたれ部分２６に折り曲げます。
図１６面ファスナー（オス）１２をふっつけて固定させます。椅子に座るときは、椅子の背もたれに脱着可能なクッションが背中にあたる様に座って使います。
図１７に、パイプ椅子以外の取り付け方を示します。補助カバーを背もたれの上部（２８）の所で半分に折り面ファスナー（２９が２個ついている部分を椅子の前側に付けます。前後の脇に付いている紐（３０）を結んで固定します。
図１８に、補助カバーに付いている、面ファスナー（メス）２９に、椅子の背もたれに脱着可能なクッション（３１）の固定布の面ファスナー（オス）を順番に付けていきます。座り方はパイプ椅子と同じです。
図１９〜図４３に以上に示しまいした、各工程の写真を載せました。
なお、上記の実施例においては、椅子の背もたれに脱着可能なクッション袋の中にバスタオルを入れたが、その他、タオル、カーデガン、スカーフ、ショール、パーカー、ひざ掛け、ジャケット、椅子のクッション等も使用可能である。
【産業上の利用可能性】
【００１１】
本発明は、高齢化社会における活動に有効であり、関連する産業の発展に寄与する。
【符号の説明】
【００１２】
１  布a
２ 布aの折り曲げる印
３  輪になってない側２辺
４  開口部を円状に外側に折り曲げた部分
５  縫って紐入れ部分
６  縫わないで空けておいた部分     
７  面ファスナー固定布
８  上下の真ん中に印
９  ４辺を１ミリメートル折り曲げた部分
１０  ３辺の布端５ミリの所の縫い合わせ
１１  面ファスナー１
１２  面ファスナー２
１３  面ファスナー３
１４  固定布の取り付け
１５  半分に折った所（補助カバー）
１６  ひも
１７  ひも
１８  ひも
１９  ひも
２０  ひも
２１  縦長の半分の所の印
２２  面ファスナー
２３  面ファスナー
２４  脱着可能なクッション袋
２５  バスタオル等
２６  パイプ椅子の背もたれ部分の前中央
２７  椅子の背もたれに脱着可能なクッション
２８  背もたれの上部
２９  面ファスナー
３０  紐
３１  椅子の背もたれに脱着可能なクッション
【図１】
2016022345.tif 000003
【図２】
2016022345.tif 000004
【図３】
2016022345.tif 000005
【図４】
2016022345.tif 000006
【図５】
2016022345.tif 000007
【図６】
2016022345.tif 000008
【図７】
2016022345.tif 000009
【図８】
2016022345.tif 000010
【図９】
2016022345.tif 000011
【図１０】
2016022345.tif 000012
【図１１】
2016022345.tif 000013
【図１２】
2016022345.tif 000014
【図１３】
2016022345.tif 000015
【図１４】
2016022345.tif 000016
【図１５】
2016022345.tif 000017
【図１６】
2016022345.tif 000018
【図１７】
2016022345.tif 000019
【図１８】
2016022345.tif 000020
【図１９】
2016022345.tif 000021
【図２０】
2016022345.tif 000022
【図２１】
2016022345.tif 000023
【図２２】
2016022345.tif 000024
【図２３】
2016022345.tif 000025
【図２４】
2016022345.tif 000026
【図２５】
2016022345.tif 000027
【図２６】
2016022345.tif 000028
【図２７】
2016022345.tif 000029
【図２８】
2016022345.tif 000030
【図２９】
2016022345.tif 000031
【図３０】
2016022345.tif 000032
【図３１】
2016022345.tif 000033
【図３２】
2016022345.tif 000034
【図３３】
2016022345.tif 000035
【図３４】
2016022345.tif 000036
【図３５】
2016022345.tif 000037
【図３６】
2016022345.tif 000038
【図３７】
2016022345.tif 000039
【図３８】
2016022345.tif 000040
【図３９】
2016022345.tif 000041
【図４０】
2016022345.tif 000042
【図４１】
2016022345.tif 000043
【図４２】
2016022345.tif 000044
【図４３】
2016022345.tif 000045